(57)【特許請求の範囲】
【請求項１】
ポストラーバ若しくは稚エビがその成長に合わせて棲み替えるための、内径及び奥行寸法の異なる複数種類の凹部を側面部に設け、かつその側面部の上方に位置する頂部に海藻類を取り付けるための取付部を設けた複数基のイセエビ増殖用ブロックと、
前記イセエビ増殖用ブロックを包囲して海藻類の食害を抑制する網と
を具備してなり、
前記複数基のイセエビ増殖用ブロックの凹部を設けていない面同士を当接ないし近接させるようにして、各増殖用ブロックが平面視放射状に伸長している態様に配置したイセエビ増殖礁。
【請求項２】
前記凹部を成形したプレートをコンクリートブロックの外側に装着することで前記伊勢エビ増殖用ブロックを作製している請求項１記載のイセエビ増殖礁。
【請求項３】
前記プレートを樹脂成形品としている請求項２記載のイセエビ増殖礁。
【請求項４】
ある内径及び奥行寸法をもつ凹部の個数が、それよりも大きな内径及び奥行寸法をもつ凹部の個数以上である請求項１、２または３記載のイセエビ増殖礁。
【請求項５】
前記網の目合い寸法を６ｃｍ以下としている請求項１、２、３または４記載のイセエビ増殖礁。
【請求項６】
海底に基盤を敷設し、その基盤上に前記イセエビ増殖用ブロックを設置するとともに、基盤におけるイセエビ増殖用ブロックを設置しない箇所に海藻類を取り付けるための取付部を設けており、
前記網が前記基盤に取り付けた海藻類をも包囲する請求項１、２、３、４または５記載のイセエビ増殖礁。
【請求項７】
請求項１、２、３、４、５または６記載のイセエビ増殖礁を水深２５ｍ以浅の海底または海藻群落中に設置し、ポストラーバ若しくは稚エビを棲みつかせるイセエビ増殖礁の使用方法。
【発明の詳細な説明】
【技術分野】
【０００１】
本発明は、ポストラーバ（プルルエス）及び稚エビが安全に棲みついて成長することのできるイセエビ用の増殖礁に関する。とりわけ、海藻がない、または乏しい水域において好適となる、磯焼け・貧海藻地用の稚イセエビ礁に関する。
【背景技術】
【０００２】
イセエビ資源の確保及び増殖のためには、産卵後、沖合から沿岸に戻ってくる最初の段階であるポストラーバを沢山着底させることが重要となる。旧来のイセエビ用の増殖礁は、ポストラーバの着底・棲息場所に関する知見が十分でなかった時代に考案されたものであり、当然ながらポストラーバに有効な環境条件を十分に反映させることができなかった。
【０００３】
今日では、イセエビのポストラーバや小形の稚エビは海藻等を隠れ場とするわけではなく、寧ろその近傍の岩礁表面に形成された円筒状の凹部（または、穴）に隠れることが圧倒的に多いこと、体がぴったり入る程度の凹部を好むこと、脱皮してより大きな稚エビに成長する都度より大きな凹部に移る習性があること、夜間に凹部から出でて近くにある海藻類に登って餌をあさり、翌朝までに再び元の凹部に帰ること、等が判明している。
【０００４】
即ち、ポストラーバや稚エビは、体にぴったり合ったサイズの凹部に身を隠すことで、生存確率を高めている。
【０００５】
以上に鑑みて、ポストラーバ若しくは稚エビが成育段階に応じて棲み替えることのできるよう、内径及び奥行寸法の異なる複数種類の凹部をランダムに側面部に穿設したブロックを主体とするイセエビ増殖礁が既に開発されている（下記特許文献１を参照）。
【０００６】
従前のイセエビ増殖礁は、海藻群落中に設置し、遊泳してきたポストラーバ若しくは稚エビを棲みつかせることを意図している。しかしながら、今日におけるイセエビ資源の減少は、磯焼け地、即ち磯焼けの主な原因である藻食魚の食害により藻類が激減した裸地の拡大がその一因となっていると思われる。従前のイセエビ増殖礁を磯焼け地に設置したとしても、ポストラーバの着底する海藻がないために、新規に加入するイセエビがなく、その磯焼け海域ではイセエビ資源を回復させられないわけである。
【先行技術文献】
【特許文献】
【０００７】
【特許文献１】特開２００８−１７８３５６号公報
【発明の概要】
【発明が解決しようとする課題】
【０００８】
本発明は、上記の問題に初めて着目してなされたものであって、ポストラーバの着底数及び稚エビの生残率をより高め、イセエビの増殖を促進することを所期の目的としている。
【課題を解決するための手段】
【０００９】
本発明では、ポストラーバ若しくは稚エビがその成長に合わせて棲み替えるための、内径及び奥行寸法の異なる複数種類の凹部を側面部に設け、かつその側面部の上方に位置する頂部に海藻類を取り付けるための取付部を設けた複数基のイセエビ増殖用ブロックと、前記イセエビ増殖用ブロックを包囲して海藻類の食害を抑制する網とを具備してなり、前記複数基のイセエビ増殖用ブロックの凹部を設けていない面同士を当接ないし近接させるようにして、各増殖用ブロックが平面視放射状に伸長している態様に配置したイセエビ増殖礁を構成した。
【００１０】
ポストラーバの着底は、それが沖合から来遊し、岩礁に生えている海藻類を感知してこれにしがみつくことで始まる。また、海藻類は着底したポストラーバ及び稚エビにとって餌場となる。イセエビ増殖用ブロックの側面部の上方に位置する頂部には、海藻類を取り付けるための取付部を設けておくことが望ましい。
【００１１】
イセエビ増殖用ブロックは、前記凹部を成形したプレートをコンクリートブロックの外側に装着して作製することが可能である。
【００１２】
ポストラーバ若しくは稚エビの生存数は、脱皮齢を経るに従って減少する。そこで、ある内径及び奥行寸法をもつ凹部の個数を、それよりも大きな内径及び奥行寸法をもつ凹部の個数以上とする。要するに、小さな凹部ほどより多く設けておく。
【００１３】
前記網の目合い寸法は、例えば６ｃｍ以下とする。食害をもたらす魚類の侵入を防ぐ一方、ポストラーバや稚エビの出入りは自由となり、また海藻類の繁茂に必要な日光の照射も確保できるからである。
【００１４】
海底に基盤を敷設し、その基盤上に前記イセエビ増殖用ブロックを設置する場合には、基盤におけるイセエビ増殖用ブロックを設置しない箇所にも海藻類を取り付けるための取付部を設け、なおかつ前記網により前記基盤に取り付けた海藻類をも包囲することが好ましい。
【００１５】
本発明に係るイセエビ増殖礁は、水深２５ｍ以浅の海底または海藻群落中に設置し、ポストラーバ若しくは稚エビを棲みつかせる。
【発明の効果】
【００１６】
本発明によれば、ポストラーバの着底数及び稚エビの生残率をより高め、イセエビの増殖を促進することができる。
【図面の簡単な説明】
【００１７】
【図１】本発明の一実施形態のイセエビ増殖礁の構成部材であるプレートの斜視図。
【図２】同実施形態におけるプレートを背面側から見た斜視図。
【図３】同実施形態におけるプレートの正面図。
【図４】同実施形態におけるプレートのＡ−Ａ線切断部端面図。
【図５】同実施形態におけるプレートのＢ−Ｂ線切断部端面図。
【図６】同実施形態におけるプレートのＣ−Ｄ−Ｅ−Ｆ−Ｇ−Ｈ線組合せ切断部端面図。
【図７】同実施形態におけるプレートのＩ−Ｊ−Ｋ−Ｌ−Ｍ−Ｎ−Ｏ−Ｐ線組合せ切断部端面図。
【図８】同実施形態におけるプレートのＱ−Ｒ−Ｓ−Ｔ−Ｕ−Ｖ−Ｗ−Ｘ−Ｙ−Ｚ線組合せ切断部端面図。
【図９】凹部の内径及び奥行寸法とその凹部に棲みつくポストラーバ若しくは稚エビの甲長との関係を示す図。
【図１０】同実施形態のイセエビ増殖礁の設置態様を示す斜視図。
【図１１】同実施形態のイセエビ増殖礁の設置態様を示す分解斜視図。
【図１２】同実施形態のイセエビ増殖礁の設置態様を示す斜視図。
【図１３】本発明の変形例の一を示す斜視図。
【発明を実施するための形態】
【００１８】
本発明の一実施形態を、図面を参照して説明する。まず、図１ないし図８に示すものは、本実施形態のイセエビ増殖礁の構成部材の一であるプレート２である。このプレート２は、例えば樹脂製の射出成形品の薄板体である。プレート２の構成材料の樹脂には、カルシウムその他の無機質粉体を混合している。射出成形品の薄板体２は、軽量であるため取り扱いが容易である大きな利点がある。プレート２は、正面視略方形状をなしており、その正面側から背面側に凹む有底の凹部２１（図中、その大きさに応じて２１ａ、２１ｂ、２１ｃ、２１ｄ、２１ｅまたは２１ｆの何れかの符号を付している）を多数形成してある。各凹部２１は、それぞれ略円筒状をなす。但し、成形上の事情により、凹部２１の径は奥方に向かうにつれて若干ながら窄まっていることがある。
【００１９】
凹部２１の内は、ポストラーバ若しくは稚エビが棲みついて身を隠す棲息空間となる。ポストラーバや稚エビは、体にぴったり合ったサイズの凹部２１を選んでその内に収まることで、魚やシャコのような捕食生物の侵入を防ぎ身を守る。また、脱皮してより大きな稚エビに成長すると、それまでいた凹部２１からより大きな凹部２１へと移住する。そこで、プレート２には、ポストラーバ若しくは稚エビがその成長に合わせて棲み替えることができるよう、内径及び奥行寸法の相異なる複数種類の凹部２１ａ、２１ｂ、２１ｃ、２１ｄ、２１ｅ、２１ｆをランダムに配設している。
【００２０】
ポストラーバ若しくは稚エビを着底させるために好適な凹部２１の大きさは、上掲の特許文献１により明らかにされている。本実施形態では、以下の六段階の大きさの凹部２１ａ、２１ｂ、２１ｃ、２１ｄ、２１ｅ、２１ｆを設けることとしている。無論、下記は一例である。凹部２１の大きさは一意に特定されるわけではなく、下記とは異なる値に設定することも許される。凹部２１の種類の数も、六段階には限定されない。
（ｉ）凹部２１ａ：入口の内寸１５ｍｍ、奥行寸法３９ｍｍ
（ii）凹部２１ｂ：入口の内寸１７．３ｍｍ、奥行寸法４４ｍｍ
（iii）凹部２１ｃ：入口の内寸２１．９ｍｍ、奥行寸法５６ｍｍ
（iv）凹部２１ｄ：入口の内寸２６．６ｍｍ、奥行寸法６８ｍｍ
（ｖ）凹部２１ｅ：入口の内寸３２．３ｍｍ、奥行寸法８１ｍｍ
（vi）凹部２１ｆ：入口の内寸３６．９ｍｍ、奥行寸法９４ｍｍ
特許文献１の図６と対比すれば、凹部２１ａは脱皮齢で第一齢ないし第二齢に、凹部２１ｂは第三齢に、凹部２１ｃは第四齢に、凹部２１ｄは第五齢ないし第六齢に、凹部２１ｅは第七齢に、凹部２１ｆは第八齢にそれぞれ対応している。脱皮齢は、ポストラーバ若しくは稚エビの大きさを示唆する。
【００２１】
ポストラーバ若しくは稚エビの生存数は、成長期間を経過するほど減少してゆく。よって、小さな凹部２１はより多く、大きな凹部２１はより少なく設ける。本実施形態では、一つのプレート２につき、凹部２１ａを七個、凹部２１ｂを五個、凹部２１ｃを四個、凹部２１ｄを二個、凹部２１ｅ及び凹部２１ｆを一個としている。
【００２２】
ポストラーバ若しくは稚エビが脱皮齢で第一齢ないし第二齢を迎える頃には、稚エビは凹部２１ａに棲みつく。その後、稚エビが第三齢を迎える頃には、凹部２１ａに棲んでいた稚エビが各々凹部２１ｂへと移動し、凹部２１ｂの替わりに凹部２１ａが空となる。さらに、稚エビが第四齢を迎える頃には、凹部２１ｂに棲んでいた稚エビが各々凹部２１ｃへと移動し、……というように遷移するであろう。
【００２３】
本実施形態では、同等の内径及び奥行寸法をもつ二つの凹部２１の中心と中心との距離を、それら凹部２１の奥行寸法以上に設定し、ポストラーバ若しくは稚エビの棲息確率を高めるようにしている。凹部２１の中心は、凹部２１を奥行方向に沿って見たときの当該凹部２１の正面投影形状の重心として定義できるが、本実施形態における凹部２１は略円筒状であり、正面投影形状である真円の中心が凹部２１の中心となる。
【００２４】
図９は、特許文献１の図４の引用である。この図９にあるように、何れかの凹部２１に棲みつくポストラーバ若しくは稚エビの甲長は、当該凹部２１の奥行寸法の半分以下である可能性が高い。
【００２５】
本実施形態では、凹部２１ａ、２１ｂ、２１ｃ、２１ｄ、２１ｅ、２１ｆの中心間距離を以下のように定めている。無論、下記は一例である。凹部２１の中心間距離は一意に特定されるわけではなく、下記とは異なる値に設定することも許される。
（ｉ）凹部２１ａ：中心間距離４５．７ｍｍ
（ii）凹部２１ｂ：中心間距離７０ｍｍ
（iii）凹部２１ｃ：中心間距離８８．１ｍｍ
（iv）凹部２１ｄ：中心間距離１４８．７ｍｍ
（ｖ）凹部２１ｅ：単一なので定義なし
（vi）凹部２１ｆ：単一なので定義なし
プレート２の外周縁部は、後背に屈曲して突き出した突条２２となっている。プレート２の中央部位には、プレート２を貫通する貫通孔２３を穿っている。
【００２６】
本実施形態のイセエビ増殖用ブロック１は、上述のプレート２をコンクリートブロック３の外側に装着して作製する。その際、コンクリートブロック３を形成する型枠にプレート２を収容して設置した状態で型枠内にコンクリートを充填し固化させる、いわばプレート２を埋設するようにしてもよいし、既に固化したコンクリートブロック３に後からプレート２を固着するようにしてもよい。
【００２７】
特に、コンクリートを充填してプレート２を埋設一体化する場合、薄板体であるため破損しやすいプレート２が、薄肉で複雑な構造となる凹部２１（背面側から見れば、突起部）の背面を充填コンクリートで保護され、破損のおそれを低減することができる。
【００２８】
さらに、図２等に示しているように、プレート２を背面側から見たとき、各凹部２１は背面側に突き出している。これら凹部２１や上記の突条２２により、プレート２をコンクリートブロック３に装着する際にコンクリートブロック３に接触する面積が拡大する。また、凹部２１や突条２２がアンカーとなって、プレート２がコンクリートブロック３から抜出しにくくなる。
【００２９】
図１０ないし図１２に示すイセエビ増殖用ブロック１は、コンクリートブロック３の三方の側面、即ち前面、後面及び外方を向く側端面にそれぞれ複数枚（図示例では、二枚ずつ）のプレート２を取着してなるものである。コンクリートブロック３の内方側部における前後面はそれぞれ、プレート２を取着した前面及び後面に対して交差するように斜めに切り落とした傾斜面としてある。
【００３０】
コンクリートブロック３の頂面は、海藻類を取り付けるための取付部とする。この取付部には、例えばクロメ類やホンダワラの仲間であるノコギリモク、オオバモク等の藻類６を生育するための藻類増殖部材４を取り付けることができる。藻類増殖部材４は、海藻６の胞子や遊走子等を付着させた種糸（図示せず）を掛け止めることのできる突起や、海藻６から伸びた根が良好に活着する凹凸等を上表面に形成した、樹脂製及び／またはコンクリート製の板状体である。藻類増殖部材４は、適宜の手段を用いてコンクリートブロック３の頂面に固定する。例えば、コンクリートブロック３に予め埋設されている、コンクリートブロック３の頂面から上方に突出したボルト５を、藻類増殖部材４に予め穿設した挿通孔（図示せず）に挿通した状態で、ボルトの軸部に上方からナット（図示せず）を螺着して藻類増殖部材４の脱離を阻止する。
【００３１】
イセエビ増殖礁は、水深２５ｍ以浅の海藻群落中またはその周辺の海底に設置し、凹部２１にポストラーバや稚エビを着底、棲息させる。例えば、図１０及び図１１に示しているように、海底に例えばコンクリート製の基盤７を敷設し、その基盤７上に複数基のイセエビ増殖用ブロック１を載置する。基盤７は、現場打ちのコンクリートであってもよいし、プレキャストコンクリート部材であってもよい。何れにせよ、基盤７は、海中にて増殖用ブロック１等を保定するものであるので、十分な重量を有している必要がある。
【００３２】
複数基の増殖用ブロック１は、プレート２を装着していない面同士、具体的には互いの内方側部の傾斜面同士を当接ないし近接させるようにして、各増殖用ブロック１が平面視放射状（図示例では、十字状）に伸長している態様に配置する。増殖用ブロック１を互いに当接ないし近接させるのは、波力または潮力により増殖用ブロック１が基盤７上で回転等変位しないようにするためである。
【００３３】
そして、図１１に示しているように、イセエビ増殖用ブロック１の頂部、及び基盤７における増殖用ブロック１を載置していない箇所に、藻類増殖部材４を介して藻類６を取り付ける。
【００３４】
さらに、図１２に示しているように、イセエビ増殖用ブロック１及び藻類増殖部材４の外周にフレーム８を基盤７に支持させて設立し、当該フレーム８に網９を張り巡らせて、網９により増殖用ブロック１及び藻類増殖部材４を包囲する。網９は、フレーム８に対して着脱可能である。網９は、凹部２１や藻類増殖部材４、藻類６の周囲及び上方を取り囲み、網９の内側に藻食魚等が侵入することを阻止し、海藻類６の食害を抑制する働きをする。網９の目合いは、６ｃｍ以下、より好ましくは５ｃｍ程度とする。
【００３５】
本実施形態によれば、ポストラーバ若しくは稚エビがその成長に合わせて棲み替えるための、内径及び奥行寸法の異なる複数種類の凹部２１を側面部に設け、かつその側面部の上方に位置する頂部に海藻類６を取り付けるための取付部を設けたイセエビ増殖用ブロック１と、前記イセエビ増殖用ブロック１を包囲して海藻類６の食害を抑制する網９とを具備してなるイセエビ増殖礁を構成したため、ポストラーバの着底数及び稚エビの生残率をより高め、イセエビの増殖を一層促進することが可能となる。
【００３６】
とりわけ、海藻類６の少ない磯焼け地や春藻場等において、ポストラーバ等の着底のきっかけとなるとともに餌場にもなる海藻類６と、ポストラーバ等の住処となる凹部２１とを組にして設営でき、しかもそれらを網９で防護できるため、ポストラーバや稚エビの棲息を促すことができるだけでなく、網９により藻食性魚類の食害から保護された海藻類６が核藻場となり、これが胞子等を放出して網９の内外に拡散させ、網９の内外に海藻類を増殖、繁茂させることにもつながる。海藻類が十分に繁茂した後は、網９を取り除くことも可能である。
【００３７】
前記凹部２１を成形したプレート２をコンクリートブロック３の外側に装着してイセエビ増殖用ブロック１を作製しているため、コンクリートブロック３がアンカーの役割を担い、海中への設営が容易となり、また低コストである。
【００３８】
ある内径及び奥行寸法をもつ凹部２１の個数を、それよりも大きな内径及び奥行寸法をもつ凹部２１の個数以上とする、つまりは小さな凹部２１ほどより多く設けているため、脱皮齢の若いポストラーバ若しくは稚エビを数多く着底させることが可能である。
【００３９】
増殖用ブロック１の側面部の上方に位置する頂部だけでなく、基盤７における増殖用ブロック１を設置しない箇所にも海藻類６を取り付けることのできる取付部を設けているため、増殖用ブロック１の凹部２１の上方及び凹部２１の出入口近傍に海藻類６を存在させることができ、沖合から来遊したポストラーバが海藻類にしがみつき、着底して凹部２１に棲みつく確率が高まる。
【００４０】
なお、本発明は以上に詳述した実施形態に限られるものではない。例えば、イセエビ増殖用ブロック１の別の形態として、図１３に示すものを挙げることができる。図１３に示すイセエビ増殖用ブロック１は、平面視略六角形状の外形をなすコンクリートブロック３を基体とし、その複数の側面部にプレート２を（図示例では、プレート２同士が隣接しないように、一つ以上側面を空けて間欠的に）装着したものである。増殖用ブロック１の頂部、即ちコンクリートブロック３の頂面に海藻類を取り付けるための取付部を設けている点や、基盤７上への設置後に網９により囲んで防護する点等は、上記実施形態と同じである。
【００４１】
また、プレート２を用いず、コンクリートブロック自体に凹部を形成することで、本発明に係るイセエビ増殖礁を作製することを妨げない。例えば、コンクリートブロックの成形型枠に凹部に対応した凸部を設けておき、その型枠内にコンクリートを充填し固化させることで、凹部が予め穿たれたプレキャストコンクリートブロックを作製する。あるいは、コンクリートブロックの外側面に、後からドリル等を使用して凹部を穿孔する。
【００４２】
その他各部の具体的構成は、本発明の趣旨を逸脱しない範囲で種々変形が可能である。
【産業上の利用可能性】
【００４３】
本発明は、イセエビ資源の確保及び増殖に活用することができる。
【符号の説明】
【００４４】
１…イセエビ増殖用ブロック
２…プレート
２１（２１ａ、２１ｂ、２１ｃ、２１ｄ、２１ｅ、２１ｆ）…凹部
３…コンクリートブロック
６…海藻類
７…基板
９…網
【図１】
0005958686.tif 000002
【図２】
0005958686.tif 000003
【図３】
0005958686.tif 000004
【図４】
0005958686.tif 000005
【図５】
0005958686.tif 000006
【図６】
0005958686.tif 000007
【図７】
0005958686.tif 000008
【図８】
0005958686.tif 000009
【図９】
0005958686.tif 000010
【図１０】
0005958686.tif 000011
【図１１】
0005958686.tif 000012
【図１２】
0005958686.tif 000013
【図１３】
0005958686.tif 000014